(57)【要約】【課題】胴縁を用いなくてもサンドイッチパネルの裏側に流水間隙を形成することができるサンドイッチパネルと、このサンドイッチパネルの設置構造とを提供する。【解決手段】複数の柱１にまたがって透湿防水シート２が張り渡されている。透湿防水シート２の前面側にサンドイッチパネル１０が取り付けられている。サンドイッチパネル１０は、前面側の金属板１１と裏側の金属板１２との間に断熱材１３を介在させたものである。裏側の金属板１２には、多数の突起１５が設けられている。最下段のサンドイッチパネル１０の下部の裏側から水を抜くために、水抜き用パイプ２０が設けられている。サンドイッチパネル１０の裏側に入り込んだ水は、スムーズに流れ落ち、パイプ２０を介してサンドイッチパネル１０の前方へ排出される。【選択図】図１
2006045823.tif 000002
【特許請求の範囲】
【請求項１】
表側及び裏側の金属板の間に断熱材が介在されてなるサンドイッチパネルにおいて、
該裏側の金属板に、該サンドイッチパネルが壁に設置された際に該裏側の金属板に沿って空気及び水が通過可能な間隙を形成するための突起を設けたことを特徴とするサンドイッチパネル。
【請求項２】
表側及び裏側の金属板の間に断熱材が介在されてなるサンドイッチパネルにおいて、該突起が散点状に設けられていることを特徴とするサンドイッチパネル。
【請求項３】
請求項１又は２において、該突起は、高さ０．２〜１０ｍｍ、基底部の面積３〜２０ｍｍ２であり、裏側金属板の１０ｃｍ２当り５〜１３０個の割合で設けられていることを特徴とするサンドイッチパネル。
【請求項４】
請求項１ないし３のいずれか１項において、該突起は、略半球形、円錐台形、又は円柱形であることを特徴とするサンドイッチパネル。
【請求項５】
請求項１ないし４のいずれか１項において、該裏側の金属板は該突起の部分も含めて前記断熱材と密着していることを特徴とするサンドイッチパネル。
【請求項６】
サンドイッチパネルが壁に設置されたサンドイッチパネル設置構造において、
該サンドイッチパネルが請求項１ないし５のいずれか１項に記載のサンドイッチパネルであることを特徴とするサンドイッチパネル設置構造。
【請求項７】
請求項６において、該サンドイッチパネルが透湿防水シートを介して柱に取り付けられていることを特徴とするサンドイッチパネル設置構造。
【請求項８】
請求項６又は７において、該サンドイッチパネルが上下方向に２段以上設置されており、最下段のサンドイッチパネルの下部に水抜き口が設けられていることを特徴とするサンドイッチパネル設置構造。
【発明の詳細な説明】
【技術分野】
【０００１】
本発明は、１対の金属板間に断熱材を介在させたサンドイッチパネルと、このサンドイッチパネルを壁に設置してなるサンドイッチパネル設置構造とに関するものであり、特にサンドイッチパネルの裏側の水や湿気の抜けを改善したサンドイッチパネルとその設置構造とに関する。
【背景技術】
【０００２】
Ｉ．１対の金属板同士の間に断熱材を介在させてなるサンドイッチパネルを用いて壁を構築したり改修することが行われている。特公平７−３０６０８号公報の第１図には、既存モルタル壁に胴縁を介してサンドイッチパネル（同号公報では乾式外壁材と称している。）を取り付けて改修し、該胴縁により、該サンドイッチパネルとモルタル壁との間に通気層を形成することが記載されている。
【０００３】
II．特開平９−６０１５２号公報の図４及び第００１４段落には、金属薄板の間に発泡合成樹脂体を介在させた建築パネルとして、表裏の該金属薄板に、横方向に延在する凹凸リブを設けることが記載されている。
【特許文献１】特公平７−３０６０８号公報
【特許文献２】特開平９−６０１５２号公報
【発明の開示】
【発明が解決しようとする課題】
【０００４】
（ｉ）上記特公平７−３０６０８号公報では、通気層を形成するために胴縁が必要である。本発明は、胴縁を用いなくてもサンドイッチパネルの裏側に流水間隙を形成することができるサンドイッチパネルと、このサンドイッチパネルの設置構造とを提供することを目的とする。
【０００５】
（ii）なお、上記特開平９−６０１５２号公報の図４の建築パネルは、凹凸リブが横方向（水平方向）に延在するものであるため、該建築パネルの裏側に入り込んだ水を下方へ流し落すことができない。この建築パネルの裏側に流水間隙を形成するには、やはり特公平７−３０６０８号公報の如く胴縁が必要となる。
【課題を解決するための手段】
【０００６】
本発明（請求項１）のサンドイッチパネルは、表側及び裏側の金属板の間に断熱材が介在されてなるサンドイッチパネルにおいて、該裏側の金属板に、該サンドイッチパネルが壁に設置された際に該裏側の金属板に沿って空気及び水が通過可能な間隙を形成するための突起を設けたことを特徴とするものである。
【０００７】
本発明（請求項２）のサンドイッチパネルは、表側及び裏側の金属板の間に断熱材が介在されてなるサンドイッチパネルにおいて、該突起が散点状に設けられていることを特徴とするものである。
【０００８】
この突起は高さ０．２〜１０ｍｍ、基底部の面積３〜２０ｍｍ２であり、裏側金属板の１０ｃｍ２当り５〜１３０個の割合で設けられていることが好ましい。また、突起は、略半球形、円錐台形、又は円柱形であることが好ましい。
【０００９】
このサンドイッチパネルにあっては、裏側の金属板は該突起の部分も含めて前記断熱材と密着していることが望ましい。
【００１０】
本発明のサンドイッチパネル設置構造は、かかる本発明のサンドイッチパネルを壁に設置したものである。
【００１１】
本発明のサンドイッチパネル設置構造の一態様にあっては、サンドイッチパネルが透湿防水シートを介して柱に取り付けられている。
【００１２】
また、本発明のサンドイッチパネル設置構造にあっては、サンドイッチパネルが上下方向に２段以上設けられている場合、最下段のサンドイッチパネルの下部に水抜き口が設けられてもよい。
【発明の効果】
【００１３】
本発明のサンドイッチパネル及びサンドイッチパネル設置構造にあっては、サンドイッチパネルの裏側の金属板に突起が設けられており、このサンドイッチパネルを柱、壁等に取り付けた場合、この裏側の金属板と柱、壁等との間に間隙が形成される。この間隙は、胴縁を用いるまでもなく、裏側金属板の突起によって形成される。この間隙が形成されることにより、サンドイッチパネルの裏側に入り込んだ水がサンドイッチパネルの裏側を伝って流れ落ちる。また、湿気を含んだ空気もこの間隙を流通する。これにより、サンドイッチパネルの裏側に湿気がこもることが防止される。
【００１４】
この突起を散点状に設けることにより、間隙を水が流れ落ち易くなる。
【００１５】
突起の高さが０．２〜１０ｍｍ、基底部の面積が３〜２０ｍｍ２、裏側金属板の１０ｃｍ２当りの個数が５〜１３０個程度であると、十分で且つ過大でない流水間隙がサンドイッチパネルの裏側に形成される。
【００１６】
突起を略半球形、円錐台形、又は円柱形とした場合、サンドイッチパネルの裏側に透湿防水シートを配材したときにこの透湿防水シートに突起が貫通することがなく、好適である。
【００１７】
裏側の金属板は該突起の部分も含めて前記断熱材と密着している構成とした場合には、サンドイッチパネルを釘、ビス等で柱や壁などに固定した際に突起が柱や壁等に強く押し付けられても、突起が圧潰したりサンドイッチパネル内に押し込まれたりする変形が防止される。
【００１８】
なお、最下段のサンドイッチパネルの下部に水抜き口を設けることにより、サンドイッチパネルの裏側を流れ落ちてきた水がサンドイッチパネルの前面側へ排出される。
【発明を実施するための最良の形態】
【００１９】
以下、図面を参照して実施の形態について説明する。第１図（ａ）は、実施の形態に係るサンドイッチパネルの裏側からの斜視図、第１図（ｂ）はこのサンドイッチパネルの設置構造を示す縦断面図、第２図（ａ）はサンドイッチパネルの縦断面図、第２図（ｂ），（ｃ）は第２図（ａ）の上部及び下部の拡大図、第３図はサンドイッチパネルを設置した壁の下部の縦断面図、第４図は別の実施の形態に用いられる水抜きボックスの斜視図である。
【００２０】
第３図の通り、布基礎５の上に土台６が設置され、複数の柱１が立設されている。複数の柱１にまたがって透湿防水シート２が張り渡されている。
【００２１】
この透湿防水シート２の前面側にサンドイッチパネル１０が取り付けられている。左右に隣接するサンドイッチパネル１０，１０の継目は柱１の前面に位置している。
【００２２】
第２図の通り、このサンドイッチパネル１０は、前面側の金属板１１と裏側の金属板１２との間に断熱材１３を介在させたものである。金属板１１，１２としては厚さ０．１５〜０．５ｍｍ程度の鋼板やアルミ板が好適であり、断熱材１３としては厚さ２５〜５０ｍｍ程度の合成樹脂発泡体が好適であるが、これに限定されるものではない。
【００２３】
このサンドイッチパネル１０の上端側には、厚みを小さくするようにして凸部１０ａが形成されている。また、サンドイッチパネル１０の下端面には、厚み方向の中央部分から上方に凹陥する凹部１０ｂが形成され、この凹部１０ｂの奥面（天井面）にゴム等よりなるパッキン１０ｃが接着等により固着されている。下段側に配設されたサンドイッチパネル１０の凸部１０ａと、上段側に配設されたサンドイッチパネル１０の凹部１０ｂとが係合するようにしてこのサンドイッチパネル１０が壁に設置される。
【００２４】
裏側の金属板１２には、多数の突起１５が散点状に設けられている。この突起１５は、金属板１２をプレス処理することによって形成することができるが、形成方法はこれに限定されるものではない。
【００２５】
第２図（ｂ），（ｃ）の通り、裏側の金属板１２は、突起１５の部分も含めて断熱材１３と密着している。このように突起１５の部分も断熱材１３で裏打ちされた構造となっているので、サンドイッチパネル１０を釘やビスで柱等に留め付けた際に、突起１５が圧潰したりサンドイッチパネル１０内に押し込まれたりする変形が防止される。
【００２６】
この突起１５の高さ（突起１５同士の間の平坦な箇所と突起１５の先端の高低差）は０．２〜１０ｍｍ特に０．５〜５ｍｍ程度が好適である。突起１５の基底部の面積は３〜２０ｍｍ２程度が好適である。基底部が円形の場合、その直径は約２〜５ｍｍ程度が好適である。
【００２７】
図示の突起１５の形状は、先端が平面となっている略半球状であるが、先端も丸い半球状であってもよく、半球よりも小さい球の一部の形状であってもよい。また、突起１５は円錐台形状、角錐台形状、円柱形、角柱形であってもよい。プレス加工が容易である点からは、略半球状を含めた半球状、円錐台、円柱形が好適である。また、これらの半球状、円錐台、円柱形の突起は、先端が尖っていないので、透湿防水シート２を突き破るおそれもなく、好適である。
【００２８】
突起１５は均一に散点状に分散配置されることが望ましい。この突起１５の配置密度は、金属板１２の１０ｃｍ２当り５〜１３０個程度が好適である。
【００２９】
前述の通り、このサンドイッチパネル１０は、柱１に留め付けられ、上下多段に且つ左右多列に配設される。このサンドイッチパネル１０の留め付けにはビス、釘等を用いることができるが、ビスの方が耐荷重が大きく、好適である。
【００３０】
なお、最下段のサンドイッチパネル１０の下部の裏側から水を抜くために、水抜き用パイプ２０が最下段のサンドイッチパネル１０の下部を貫通して設けられている。
【００３１】
このサンドイッチパネル１０の前面には、仕上げ塗装が施されるか、又はタイルが接着される。なお、左右に隣接するサンドイッチパネル１０，１０の継目を覆うように、該継目に跨って前面側から防水テープが貼着される。
【００３２】
このように構成されたサンドイッチパネル１０及びその設置構造にあっては、サンドイッチパネル１０の裏側の金属板に多数の突起１５が設けられており、サンドイッチパネル１０の裏側と透湿防水シート２との間には流水間隙が形成される。従って、サンドイッチパネル１０の裏側に入り込んだ水は、第１図の矢印の如くこの流水間隙を介してスムーズに流れ落ち、パイプ２０を介してサンドイッチパネル１０の前方へ排出される。なお、湿気を含んだ空気もこの流水間隙を流れるようになる。
【００３３】
この結果、サンドイッチパネル１０の裏側に湿気がこもることが防止される。特に、柱１の前面にあっても、サンドイッチパネル１０，１０同士の継目を通して雨水が流入した場合、この水は柱１の前面側の透湿防水シート２とサンドイッチパネル１０との間の流水間隙を素早く流れ落ち、パイプ２０を通って排出される。
【００３４】
この実施の形態ではパイプ２０を最下段のサンドイッチパネル１０の下部に設置しているが、第４図の水抜きボックス３０を最下段のサンドイッチパネルの下部に設けてもよい。
【００３５】
この水抜きボックス３０は、略長方形の箱状であり、一側面に水の流入口３１が設けられ、反対側の一側面に水の流出口３２が設けられ、内部には迷路状に邪魔板３３が立設されている。なお、第４図では水抜きボックス３０の天井面部分が開放しているが、実際には蓋が設けられ、前記流入口３１及び流出口３２のみが開いている構成となっている。
【００３６】
サンドイッチパネル１０の裏側の水は、流入口３１から流出口３２を経てサンドイッチパネル１０の前面側へ流れ出る。邪魔板３３は、流入口３１から入り込んだ虫が裏側へ入り込むことを防止するためのものである。なお、前記パイプ２０や水抜きボックス３０に、虫が入り込むのを防止するための防虫網を設けてもよい。
【００３７】
水抜きボックス３０の代りに、第５図のように水抜き部材４０を用いてもよい。４１はシールを示す。
【００３８】
上記実施の形態は本発明の一例であり、本発明は図示以外の構成とされてもよい。例えば、サンドイッチパネル１０の上部及び下部の凸部と凹部は、図示以外の雄実、雌実形状とされてもよい。
【図面の簡単な説明】
【００３９】
【図１】（ａ）図は、実施の形態に係るサンドイッチパネルの裏側からの斜視図、（ｂ）図はサンドイッチパネル設置構造を示す縦断面図である。
【図２】（ａ）図はサンドイッチパネルの縦断面図、（ｂ），（ｃ）図は（ａ）図の上部及び下部の拡大図である。
【図３】サンドイッチパネル設置構造の下部の縦断面図である。
【図４】水抜きボックスの斜視図である。
【図５】水抜き部材を用いた構造を示す斜視図である。
【符号の説明】
【００４０】
１  柱
２  透湿防水シート
１０  サンドイッチパネル
１１，１２  金属板
１３  断熱材
１５  突起
２０  パイプ
３０  水抜きボックス
４０  水抜き部材
【図１】
2006045823.tif 000003
【図２】
2006045823.tif 000004
【図３】
2006045823.tif 000005
【図４】
2006045823.tif 000006
【図５】
2006045823.tif 000007